(57)【特許請求の範囲】
【請求項１】
移送管とこれに連なる滞留部より成る繊維製品（以下、布帛という）の循環移送路を、無端状に結合した布帛を走行させながら処理する液流式、気流式処理装置であって、
固定テーパーリングと可動テーパーリングからなる可動ピストンを対向配置して、これらの対向隙間で噴射ノズルの噴射スリットを形成したものにおいて、可動ピストンの前部に処理流体の入る噴射室を前記スリットに連通して設け、可動ピストンの後部に非圧縮流体が入る調整室を設け、
前記噴射室を処理流体の循環ポンプに連通するとともに、前記調整室を機体外部に設けた非圧縮流体の作動源に連通させ、
前記調整室に非圧縮流体を供給することにより可動ピストンを押して前記噴射スリットを狭くし、可動ピストンを引くことにより噴射スリットを広くするようにし、
更に、前記テーパーリング状の可動ピストンの外周を軸方向に摺動するテーパーリング状ロックピストンと、その両側に設けたロック室と解除室と、該両室に圧縮エアーの供給を制御して前記ロックピストンの摺動により可動ピストンを固定したり解除する制動装置とで構成した上記噴射スリットの調整された開度をロックするためのロック機構を有することを特徴とする布帛の処理機における被処理物移送用噴射装置。
【発明の詳細な説明】
【０００１】
【発明の属する技術分野】
本発明は、布帛処理機の改良、特に循環する液流、気流によって布帛を処理する処理機の被処理物移送用噴射装置に関するものである。
【０００２】
【従来の技術】
布帛の処理機の噴射ノズルは、固定テーパー部と可動テーパー部の二個の円筒状リングで構成され、可動テーパー部の出入りをネジ、スペーサーで調整させる方法であり、処理布帛の品種、処理条件により運転開始前に経験的に被処理物移送用噴射装置の噴射ノズルのスリットを設定していた。
【０００３】
【発明が解決しようとする課題】
布帛の処理機において噴射ノズルは、循環する液流、気流と布帛を接触させ、布帛の運行を行う重要な構成部品であり、噴射ノズルのスリットを変えることにより噴射量、噴射力が変わり、布帛の運行速度、循環回数、置換回数が変化して布帛を加工する重要な要因である。
【０００４】
布帛の加工にあたり、事前に噴射ノズルのスリットを設定するが、布帛が、処理温度と共に物性が変化して運行状態が変化するが、噴射ノズルのスリットの再設定は布帛の投入用蓋を開とするために、処理を中断する必要があり運転中は不可能であった。
【０００５】
本発明は、噴射ノズルのスリットを処理装置の外部からの操作で簡単に操作することにより、状態に最適な被処理物移送装置の噴射ノズルのスリットを設定できる遠隔装置を提供するものである。
【０００６】
【課題を解決するための手段】
上記に鑑み本発明は、移送管とこれに連なる滞留部より成る繊維製品（以下、布帛という）の循環移送路を、無端状に結合した布帛を走行させながら処理する液流式、気流式処理装置であって、
固定テーパーリングと可動テーパーリングからなる可動ピストンを対向配置して、これらの対向隙間で噴射ノズルの噴射スリットを形成したものにおいて、可動ピストンの前部に処理流体の入る噴射室を前記スリットに連通して設け、可動ピストンの後部に非圧縮流体が入る調整室を設け、
前記噴射室を処理流体の循環ポンプに連通するとともに、前記調整室を機体外部に設けた非圧縮流体の作動源に連通させ、
前記調整室に非圧縮流体を供給することにより可動ピストンを押して前記噴射スリットを狭くし、可動ピストンを引くことにより噴射スリットを広くするようにし、
更に、前記テーパーリング状の可動ピストンの外周を軸方向に摺動するテーパーリング状ロックピストンと、その両側に設けたロック室と解除室と、該両室に圧縮エアーの供給を制御して前記ロックピストンの摺動により可動ピストンを固定したり解除する制動装置とで構成した上記噴射スリットの調整された開度をロックするためのロック機構を有することを特徴とする。
【０００８】
【作用】
本発明によれば、噴射ノズル部の内部に固定テーパーリングと可動テーパーリングで構成された噴射スリットを、可動テーパーリングからなるピストンを非圧縮流体を外部より出し入れして摺動させることにより噴射ノズルスリットの開度を調整し、設定終了時に該ピストンをロック状態にする。
【０００９】
【発明の実施の形態】
本発明は、移送管とこれに連なる滞留部より成る繊維製品（以下、布帛という）の循環移送路を、無端状に結合した布帛を走行させながら処理する液流式、気流式処理装置であって、
固定テーパーリングと可動テーパーリングからなるピストンで噴射ノズルの噴射スリットを形成したものにおいて、ピストンの前部に処理流体の入る噴射室を、後部に非圧縮流体が入るスリットの調整室をそれぞれ設け、
前記噴射室を処理流体の循環ポンプに連通するとともに、スリットの調整室を機体外部に設けた非圧縮流体の作動源に連通させた。
【００１０】
上記調整スリットを固定するロック装置を設ける。
【００１１】
【実施例】
実施例について図面を参照して説明する。
図１は、本発明の実施例で１は無端状に結合した処理布帛で、２は処理機であり滞留部２′の下流端に布帛を引き上げるテーパー状立上がり管３を介してリールボックス４がある。
【００１２】
リールボックス４には引き上げリール５があり、駆動モーター（図示せず）によってリール５を駆動させて滞留部で蛇行状態で移動している布帛１を滞留部２′より立上がり管３に沿って引き上げ、噴射ノズル６より噴射される処理液と共に移送管７内に圧送し、滞留部の上流端９の上部で移送管７より開放され、滞留部を下流端まで蛇行状態で移行する。
【００１３】
処理液の循環経路は、滞留部２′の下流端の底部に滞留部１０を設けて吸い込み配管１１をポンプ１２を介して吐出配管１３、フィルター１４、多管式熱交換器１５、吐出配管１６，１７を経て噴射ノズル６に接続され、噴射ノズル６にはスリットを調整するための非圧縮流体を出し入れするシリンダー１８が接続されている。
【００１４】
図２は、本発明の被処理物移送用噴射装置の断面図であり、固定テーパーリング２６と可動テーパーリングからなるピストン１９により噴射スリットの開度Ｓを形成して該ピストン１９の前部にポンプ１２より吐出される処理液が入り布帛１に噴射する噴射室２０があり、ピストン１９の後部に非圧縮流体２１が入る調整室２２があり、該調整室２２とシリンダー１８を接続管２３で接続し、シリンダー１８内のピストン２４を押すことにより、非圧縮流体２１をスリット調整室２２に供給して可動テーパーリングのピストン１９を押しスリットＳを狭くし、また逆にピストン２４を引くことより可動テーパーリングのピストン１９は、引かれてスリットＳを広くすることができる。
【００１５】
３０はテーパーリング状のロックピストンであり、該ロックピストン３０の傾斜面に接して回転するローラー３１がリンク３２の先端に付き、他端に支点３３が可動テーパーリングのピストン１９に取り付けてあり、支点３３の近い位置にブレーキシュー３４がリンク３２の凹部にブレーキシュー３４の凸部と嵌合されている。
【００１６】
該ロックピストン３０の前後のロック室４０とロック解除室４２を設けて各々に供給口４１，４３より圧縮エアーを制御弁（図示せず）を介して供給制御している。
【００１７】
被処理物移送用噴射装置の噴射スリットＳの設定は、ロック解除室４２に供給口４３より圧縮エアーを制御弁を介して供給し、ロック室４０のエアー制御弁を開放することによりロックピストン３０は停止ストッパー４５に係合して止まり、ロックピストン３０の傾斜面に接しているローラー３１，リンク３２は押し下げられ、噴射円筒３６に接触していたブレーキシュー３４は開放状態となり可動テーパーリングピストン１９は非圧縮流体２１を調整室２２にシリンダー１８より供給することによりスリットは狭くなり、逆にシリンダー１８のピストン２４を引きスリット調整室２２の非圧縮流体２１を排出することにより隙間Ｓは拡張方向に調整ができ、スリット調整室２２とシリンダー１８の容積比に換算したピストン２４の移動量で噴射隙間Ｓを換算して設定する。
【００１８】
噴射スリット開度の設定後、ロック室４０に圧縮エアーを供給し、ロック解除室４２の制御弁を開放することによりロックピストン３０は移動し、ロックピストン３０の傾斜面に沿ってリンク３２は持ち上がりブレーキシュー３４を噴射円筒３６の内壁面に圧着して可動テーパーリングのピストン１９は固定される。
【００１９】
シリンダピストン２４の移動を駆動モーター（図示せず）等を用いて動作させることにより、布帛１の運行と連動させ加工行程の経過と共に制御することも可能である。
【００２０】
図３は、従来型のネジ式による噴射ノズルの断面であり、可動テーパーリング２６を回転することにより隙間Ｓを調整することができる。
図４は、従来型のスペーサー２７を用いた噴射ノズルの断面を示し、可動テーパーリング２６の位置をスペーサー２７の厚みを変えることにより隙間Ｓを調整している。
【００２１】
また、実施例では処理液が循環する染色機について記述しているが、気流が循環する気流処理機についても本発明は適用される。
【００２２】
【発明の効果】
以上説明したとおり、本発明にあっては、布帛の加工行程を中断することなく噴射ノズルのスリット開度を調整・設定することができたため布帛が処理温度の上昇と共に物性が変化し、変化に応じた噴射ノズルのスリットの設定が可能なうえに遠隔位置において調整を可能にした効率的で省力的な装置が提供できる。
【図面の簡単な説明】
【図１】  本発明の実施例である液流処理機の機構説明図である。
【図２】  本発明の噴射ノズルの断面図である。
【図３】  従来の噴射ノズルの断面図である。
【図４】  従来の噴射ノズルの断面図である。
【符号の説明】
１…布帛                      ２…処理機
２′…滞留部                  ３…立上がり管
４…リールボックス            ５…リール
６…噴射ノズル                ７…移送管
１２…ポンプ                  １５…多管式熱交換器
１６，１７…吐出配管          １８…シリンダー
１９…凹テーパーリング        ２０…噴射部
２１…非圧縮流体              ２２…調整部
２３…接続管                  ２４…ピストン
２５…目盛り                  ２６…凸テーパーリング
２７…スペーサー              ３０…ロックピストン
３１…ローラ                  ３２…リンク
３３…支点                    ４０…ロック室
４２…ロック解除室            ４１，４３…圧縮空気供給口
【図１】
0003663244.tif 000002
【図２】
0003663244.tif 000003
【図３】
0003663244.tif 000004
【図４】
0003663244.tif 000005